【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、
前記位相差αを多数次モードの２５５°、前記位相差βを多数次モードの１３０°とし、前記方位角θ1を２５．５°−５°乃至２５．５°＋５°、前記方位角θ2を７９．８°−５°乃至７９．８°＋５°としたことを特徴とする積層波長板。
【請求項２】
請求項１において、
前記位相差αを４次モードの２５５°、前記位相差βを２次モードの１３０°としたことを特徴とする積層波長板。
【請求項３】
請求項１又は２において、
波長６５５ｎｍ及び７８５ｎｍの光に対して１／４波長板として機能することを特徴とする積層波長板。
【請求項４】
波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、
前記位相差αを多数次モードの１８０°、前記位相差βを多数次モードの２７０°とし、前記方位角θ1を１４°−５°乃至１４°＋５°、前記方位角θ2を７２°−５°乃至７２°＋５°としたことを特徴とする積層波長板。
【請求項５】
請求項４において、
前記位相差αを５次モードの１８０°、前記位相差βを２次モードの２７０°としたことを特徴とする積層波長板。
【請求項６】
請求項４又は５において、
波長６５５ｎｍ及び７８５ｎｍの光に対して１／４波長板として機能することを特徴とする積層波長板。
【請求項７】
波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、
前記位相差αを多数次モードの１８０°、前記位相差βを多数次モードの２７０°とし、前記方位角θ1を７°−５°乃至７°＋５°、前記方位角θ2を５２°−５°乃至５２°＋５°としたことを特徴とする積層波長板。
【請求項８】
請求項７において、
前記位相差αを７次モードの１８０°、前記位相差βを１次モードの２７０°としたことを特徴とする積層波長板。
【請求項９】
請求項７又は８において、
波長６５５ｎｍの光に対して１／４波長板として機能し、
波長７８５ｎｍの光に対して１／２波長板として機能することを特徴とする積層波長板。
【請求項１０】
波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、
前記位相差αを多数次モードの１８０°、前記位相差βを多数次モードの１８０°とし、前記方位角θ1を１２°−５°乃至１２°＋５°、前記方位角θ2は５７°−５°乃至５７°＋５°としたことを特徴とする積層波長板。
【請求項１１】
請求項１０において、
前記位相差αを７次モードの１８０°、前記位相差βを３次モードの１８０°としたことを特徴とする積層波長板。
【請求項１２】
請求項１０又は１１において、
波長６５５ｎｍの光に対して１／２波長板として機能し、
波長７８５ｎｍの光に対して２／２波長板として機能することを特徴とする積層波長板。
【請求項１３】
第１の波長の第１直線偏光と第２の波長の第２直線偏光とが、波長板を通過するよう構成された光ピックアップにおいて、
当該波長板が、請求項１乃至１２の何れか１項に記載の積層波長板であることを特徴とする光ピックアップ。
【手続補正２】
【補正対象書類名】明細書
【補正対象項目名】０００９
【補正方法】変更
【補正の内容】
【０００９】
上記課題を解決するために本発明に係る積層波長板の請求項１記載の発明は、波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、前記位相差αを多数次モードの２５５°、前記位相差βを多数次モードの１３０°とし、前記方位角θ1を２５．５°−５°乃至２５．５°＋５°、前記方位角θ2を７９．８°−５°乃至７９．８°＋５°としたことを特徴としている。
請求項２記載の発明は、請求項１において、前記位相差αを４次モードの２５５°、前記位相差βを２次モードの１３０°としたことを特徴としている。
請求項３記載の発明は、請求項１又は２において、波長６５５ｎｍ及び７８５ｎｍの光に対して１／４波長板として機能することを特徴としている。
【手続補正３】
【補正対象書類名】明細書
【補正対象項目名】００１０
【補正方法】変更
【補正の内容】
【００１０】
請求項４記載の発明は、波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、前記位相差αを多数次モードの１８０°、前記位相差βを多数次モードの２７０°とし、前記方位角θ1を１４°−５°乃至１４°＋５°、前記方位角θ2を７２°−５°乃至７２°＋５°としたことを特徴としている。
請求項５記載の発明は、請求項４において、前記位相差αを５次モードの１８０°、前記位相差βを２次モードの２７０°としたことを特徴としている。
請求項６記載の発明は、請求項４又は５において、波長６５５ｎｍ及び７８５ｎｍの光に対して１／４波長板として機能することを特徴としている。
請求項７記載の発明は、波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、前記位相差αを多数次モードの１８０°、前記位相差βを多数次モードの２７０°とし、前記方位角θ1を７°−５°乃至７°＋５°、前記方位角θ2を５２°−５°乃至５２°＋５°としたことを特徴としている。
【手続補正４】
【補正対象書類名】明細書
【補正対象項目名】００１１
【補正方法】変更
【補正の内容】
【００１１】
請求項８記載の発明は、請求項７において、前記位相差αを７次モードの１８０°、前記位相差βを１次モードの２７０°としたことを特徴としている。
請求項９記載の発明は、請求項７又は８において、波長６５５ｎｍの光に対して１／４波長板として機能し、波長７８５ｎｍの光に対して１／２波長板として機能することを特徴としている。
請求項１０記載の発明は、波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、前記位相差αを多数次モードの１８０°、前記位相差βを多数次モードの１８０°とし、前記方位角θ1を１２°−５°乃至１２°＋５°、前記方位角θ2を５７°−５°乃至５７°＋５°としたことを特徴としている。
請求項１１記載の発明は、請求項１０において、前記位相差αを７次モードの１８０°、前記位相差βを３次モードの１８０°としたことを特徴としている。
【手続補正５】
【補正対象書類名】明細書
【補正対象項目名】００１４
【補正方法】変更
【補正の内容】
【００１４】
上記のように構成したので、本発明によれば以下のような優れた効果が得られる。
本発明は、波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、前記位相差αを多数次モードの２５５°、前記位相差βを多数次モードの１３０°とし、前記方位角θ1を２５．５°−５°乃至２５．５°＋５°、前記方位角θ2を７９．８°−５°乃至７９．８°＋５°としたので、波長依存性を補償し、互いに波長が異なる２つの波長の光に対して１／４波長板として機能する積層波長板を提供できるという優れた効果を奏する。
また、本発明は、波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、前記位相差αを多数次モードの１８０°、前記位相差βを多数次モードの２７０°とし、前記方位角θ1を１４°−５°乃至１４°＋５°、前記方位角θ2を７２°−５°乃至７２°＋５°としたので、波長依存性を補償し、互いに波長が異なる２つの波長の光に対して１／４波長板として機能する積層波長板を提供できるという優れた効果を奏する。
【手続補正６】
【補正対象書類名】明細書
【補正対象項目名】００１５
【補正方法】変更
【補正の内容】
【００１５】
また、本発明は、波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、前記位相差αを多数次モードの１８０°、前記位相差βを多数次モードの２７０°とし、前記方位角θ1を７°−５°、７°＋５°、前記方位角θ2を５２°−５°乃至５２°＋５°としたので、波長依存性を補償し、互いに波長が異なる２つの波長の光において、一方の光に対して１／４波長板、他方の光に対して１／２波長板として機能する積層波長板を提供できるという優れた効果を奏する。
また、本発明は、波長λの単色光に対して位相差α及び方位角θ1の第１の波長板と、波長λの単色光に対して位相差β及び方位角θ2の第２の波長板と、を夫々の光学軸が交差するように貼り合わせた積層波長板であって、前記位相差αを多数次モードの１８０°、前記位相差βを多数次モードの１８０°とし、前記方位角θ1を１２°−５°乃至１２°＋５°、前記方位角θ2は５７°−５°乃至５７°＋５°としたので、波長依存性を補償し、多義に波長の異なる２つの波長の光において、一方の波長の光に対して１／２波長板、他方の光に対しては２／２波長板として機能する積層波長板を提供できるという優れた効果を有する。
また、本発明は、第１の波長の第１直線偏光と第２の波長の第２直線偏光とが、波長板を通過するよう構成された光ピックアップにおいて、当該波長板を、請求項１乃至１２の何れか１項に記載の積層波長板で構成したので、互いに波長の異なる第１の波長及び第２の波長の光に対応した小型のピックアップを提供できるという優れた効果を奏する。